(57)【要約】【課題】埋込光ファイバ放射線量検出器を提供すること。【解決手段】埋込光ファイバ放射線量検出器が、第一の端部が第一の光強度検出器に接続され第二の端部が検出用端部である第一の光ファイバプローブを備えており、第一の蛍光物質が第一の光ファイバプローブの検出用端部の端子に埋め込まれている。効果は、次の通りであって、すなわち、本発明の光ファイバプローブは埋込構造を有しており、内部が空洞であるコアを有する光ファイバプローブが、微小処理技術を用いて作成され、放射によって生成された蛍光信号の光ファイバのコアの中に結合する効率を著しく改善し、光ファイバセンサのサイズを著しく縮小させるように、蛍光物質がその中に埋め込まれる。【選択図】図１
2016200595.tif 000002
【特許請求の範囲】
【請求項１】
放射領域における放射吸収線量をモニタする埋込光ファイバ放射線量検出器であって、第一の端部が第一の光強度検出器に接続され第二の端部が検出用端部である第一の光ファイバプローブを備えており、第一の蛍光物質が前記第一の光ファイバプローブの前記検出用端部の端子に埋め込まれている、埋込光ファイバ放射線量検出器。
【請求項２】
金属マーカが前記第一の光ファイバプローブの前記検出用端部の前記端子上に周方向に配置されている、請求項1に記載の埋込光ファイバ放射線量検出器。
【請求項３】
前記第一の蛍光物質が無機蛍光物質又は有機蛍光物質である、請求項2に記載の埋込光ファイバ放射線量検出器。
【請求項４】
前記第一の光ファイバプローブがプラスチック光ファイバ又はＰＭＭＡ光ファイバである、請求項3に記載の埋込光ファイバ放射線量検出器。
【請求項５】
前記第一の光ファイバプローブの前記検出用端部の前記端子の内部が微小溝又は微小孔を有し、前記第一の蛍光物質が前記微小溝又は前記微小孔の中に埋め込まれ、前記微小溝又は前記微小孔の一方の端部が密封物質によって密封されている、請求項4に記載の埋込光ファイバ放射線量検出器。
【請求項６】
毛細光ファイバが前記第一の光ファイバプローブの前記検出用端部の端子上に溶接され、前記第一の蛍光物質が前記毛細光ファイバに埋め込まれ、前記毛細光ファイバの一方の端部が密封物質によって密封されている、請求項4に記載の埋込光ファイバ放射線量検出器。
【請求項７】
第二の光ファイバプローブを更に備えており、前記第二の光ファイバプローブの第一の端部が第二の光強度検出器に接続され、第二の蛍光物質が前記第二の光ファイバプローブの検出用端部の端子に埋め込まれている、請求項1に記載の埋込光ファイバ放射線量検出器。
【請求項８】
第二の光ファイバプローブを更に備えており、前記第二の光ファイバプローブの第一の端部が第二の光強度検出器に接続され、第二の蛍光物質が前記第二の光ファイバプローブの検出用端部の端子に埋め込まれている、請求項2に記載の埋込光ファイバ放射線量検出器。
【請求項９】
第二の光ファイバプローブを更に備えており、前記第二の光ファイバプローブの第一の端部が第二の光強度検出器に接続され、第二の蛍光物質が前記第二の光ファイバプローブの検出用端部の端子に埋め込まれている、請求項3に記載の埋込光ファイバ放射線量検出器。
【請求項１０】
第二の光ファイバプローブを更に備えており、前記第二の光ファイバプローブの第一の端部が第二の光強度検出器に接続され、第二の蛍光物質が前記第二の光ファイバプローブの検出用端部の端子に埋め込まれている、請求項4に記載の埋込光ファイバ放射線量検出器。
【請求項１１】
第二の光ファイバプローブを更に備えており、前記第二の光ファイバプローブの第一の端部が第二の光強度検出器に接続され、第二の蛍光物質が前記第二の光ファイバプローブの検出用端部の端子に埋め込まれている、請求項5に記載の埋込光ファイバ放射線量検出器。
【請求項１２】
第二の光ファイバプローブを更に備えており、前記第二の光ファイバプローブの第一の端部が第二の光強度検出器に接続され、第二の蛍光物質が前記第二の光ファイバプローブの検出用端部の端子に埋め込まれている、請求項6に記載の埋込光ファイバ放射線量検出器。
【請求項１３】
前記第一の光ファイバプローブと前記第二の光ファイバプローブとのタイプは同一であり、前記第一の光ファイバプローブと前記第二の光ファイバプローブとのコアの内径は同一であり、前記第一の光強度検出器と前記第二の光強度検出器とのモデルは同一である、請求項7に記載の埋込光ファイバ放射線量検出器。
【請求項１４】
前記第一の光ファイバプローブと前記第二の光ファイバプローブとのタイプは同一であり、前記第一の光ファイバプローブと前記第二の光ファイバプローブとのコアの内径は同一であり、前記第一の光強度検出器と前記第二の光強度検出器とのモデルは同一である、請求項8に記載の埋込光ファイバ放射線量検出器。
【請求項１５】
前記第一の光ファイバプローブと前記第二の光ファイバプローブとのタイプは同一であり、前記第一の光ファイバプローブと前記第二の光ファイバプローブとのコアの内径は同一であり、前記第一の光強度検出器と前記第二の光強度検出器とのモデルは同一である、請求項9に記載の埋込光ファイバ放射線量検出器。
【請求項１６】
前記第一の光ファイバプローブと前記第二の光ファイバプローブとのタイプは同一であり、前記第一の光ファイバプローブと前記第二の光ファイバプローブとのコアの内径は同一であり、前記第一の光強度検出器と前記第二の光強度検出器とのモデルは同一である、請求項10に記載の埋込光ファイバ放射線量検出器。
【請求項１７】
前記第一の光ファイバプローブと前記第二の光ファイバプローブとのタイプは同一であり、前記第一の光ファイバプローブと前記第二の光ファイバプローブとのコアの内径は同一であり、前記第一の光強度検出器と前記第二の光強度検出器とのモデルは同一である、請求項11に記載の埋込光ファイバ放射線量検出器。
【請求項１８】
前記第一の光ファイバプローブと前記第二の光ファイバプローブとのタイプは同一であり、前記第一の光ファイバプローブと前記第二の光ファイバプローブとのコアの内径は同一であり、前記第一の光強度検出器と前記第二の光強度検出器とのモデルは同一である、請求項12に記載の埋込光ファイバ放射線量検出器。
【発明の詳細な説明】
【技術分野】
【０００１】
関連出願の相互参照
本発明は、2015年4月9日に出願された中国特許出願第201510166373.0号に基づく優先権を主張する。
【０００２】
本発明は、放射線量検出器に関し、更に詳しくは、埋込光ファイバ放射線量検出器に関する。
【背景技術】
【０００３】
現代社会における環境因子の変化に起因して、ガンを病む人間の数は世界中で上昇しており、ガンを治療するための有効な方法として、放射線治療が、医学界において多用されてきた。放射線治療においては、アルファ線、ガンマ線及びX線などの多くの放射線が、複数の異なる方向から腫瘍に適用され、これらが、その成長及び増殖を抑制するために、腫瘍の細胞のDNAに損傷を与えることができる。しかし、患者が放射線治療を通じて過剰な放射線を受ける場合には、それによって、身体の健康な組織に大きな危害が生じることになる。
【０００４】
従来、放射線治療においては、正確な位置及び放射線量の制御が欠けていることに起因して、周囲の健康な組織に、放射線による過剰な損傷が生じている。よって、放射線治療の最適化された効果とは、隣接する周囲の健康な組織が最小化された放射線量を受け取ることを可能にしながら、指定されたターゲット領域に最適な放射線量を提供することであるが、そのためには、腫瘍の移動をリアルタイムでモニタして、放射線量と放射領域の腫瘍及びその周囲の健康な組織での累積線量とをリアルタイムで検出することが、要求される。
【発明の概要】
【発明が解決しようとする課題】
【０００５】
論文「Radiation Therapy Physical quality control and quality assurance」 (Deng Xiaowu, China Cancer 2008 Vol. 17 No. 8, page 660-665)によると、21世紀以来、放射線治療は、ミリメートルレベルのターゲットの位置決めと動的な4次元平面線量分布計算(four-dimensional planing dose distribution computing)とを提供するために、3次元原体照射法(conformal radiotherapy)、強度変調原体照射法及び画像誘導放射線治療(image guided radiation therapy)に発展してきた。たとえそうであっても、従来型の放射線量制御は、依然として、生体外の測定値や見かけの校正などの間接的方法を用いている(論文「For patients with IMRT plan dosimetry verification」 by Dai Jianrong, Hu Yimin, Zhang Chi, Guan Ying, Zhang Wang Chuang, Chinese Journal of Radiation Oncology, September 2004, Vol. 13 No. 3 page 229-233を参照のこと)。直接的な生体内の測定値や生体内の再利用可能な位置校正方法は、不在である。
【０００６】
従来は、リアルタイムで放射吸収線量をモニタするための要件を満たすことは不可能であるのだが、というのは、放射吸収線量を検出するためのほとんどすべての標準的なセンサは大きすぎるし、その物質的安全性は不十分であるし、その寿命は短い、などという理由に起因する。近年では、西洋諸国では、そのX線蛍光物質が光ファイバの被覆が除去された表面に適用され、放射線量を検出することが可能なX線センサの研究が開始されている(Dan Sporea, Laura Mihai, Ion Tiseanu, Multidisciplinary evaluation of X-ray optical fiber sensors, Sensors and Actuators A, 213: 79-88, 2014)。しかし、そのような技術を用いた光ファイバのコアの中への蛍光信号の結合の比率は低く、その感度は低い。更に、そのような技術は大型のプローブを必要とするのであるが、これは、生体内での放射線量測定のためには困難である。
【０００７】
以上の短所を鑑み、本発明が、長期間の研究及び実践の後で、遂に得られたのである。
【課題を解決するための手段】
【０００８】
上述した課題を解決するために、本発明の目的は、放射領域における放射吸収線量をモニタする埋込光ファイバ放射線量検出器を提供することであるが、この埋込光ファイバ放射線量検出器は、第一の端部が第一の光強度検出器に接続され第二の端部が検出用端部である第一の光ファイバプローブを備えており、第一の蛍光物質が第一の光ファイバプローブの検出用端部の端子に埋め込まれている。
【０００９】
好ましくは、金属マーカが、第一の光ファイバプローブの検出用端部の端子上に、周方向に配置される。
【００１０】
好ましくは、第一の蛍光物質が、無機蛍光物質又は有機蛍光物質である。
【００１１】
好ましくは、第一の光ファイバプローブが、プラスチック光ファイバ又はＰＭＭＡ光ファイバである。
【００１２】
好ましくは、第一の光ファイバプローブの検出用端部の端子の内部が、微小溝(micro-groove)又は微小孔(micro-pore)を有し、第一の蛍光物質が、微小溝又は微小孔の中に埋め込まれる。
【００１３】
好ましくは、微小溝又は微小孔の一方の端部が、密封物質によって密封される。
【００１４】
好ましくは、毛細光ファイバが第一の光ファイバプローブの検出用端部の端子上に溶接され、第一の蛍光物質が毛細光ファイバに埋め込まれ、毛細光ファイバの一方の端部が密封物質によって密封される。
【００１５】
好ましくは、埋込光ファイバ放射線量検出器が、第二の光ファイバプローブを更に備えており、第二の光ファイバプローブの第一の端部が第二の光強度検出器に接続され、第二の蛍光物質が第二の光ファイバプローブの検出用端部の端子に埋め込まれる。
【００１６】
好ましくは、第一の光ファイバプローブと第二の光ファイバプローブとのタイプが同一であり、第一の光ファイバプローブと第二の光ファイバプローブとのコアの内径が同一であり、第一の光強度検出器と第二の光強度検出器とのモデルが同一である。
【００１７】
従来型の技術と比較すると、本発明は、下記のような効果を奏する。
【００１８】
1.本発明の光ファイバプローブは埋込構造を有しており、内部が空洞であるコアを有する光ファイバプローブが、この光ファイバセンサが人体に入ることが可能となるような態様で、微小処理技術を用いて作成されるのであるが、放射によって生成された蛍光信号の光ファイバのコアの中に結合する効率を著しく改善し、光ファイバセンサのサイズを著しく縮小させるように、蛍光物質がその中に埋め込まれる。
【００１９】
2.放射線治療の副作用を最小化し、腫瘍位置校正機能を提供しながら、効率を改善するために、生体内の放射線量のリアルタイムでのモニタリングが達成される。
【００２０】
3.第一の光ファイバプローブと第二の光ファイバプローブとに、異なる蛍光物質が充填される。更に、二つの異なる蛍光物質を用いた排他的な方法によると、放射領域における実際の深さと実際の放射吸収線量とが取得され、これにより、放射線治療の間の患者の健康と安全とが保証されながら、リアルタイムでの検出がなされる。
【００２１】
本発明のこれらの及びそれ以外の目的、特徴及び効果は、以下の詳細な説明、添付の図面、及び添付の特許請求の範囲から明らかになるであろう。
【図面の簡単な説明】
【００２２】
【図１】本発明の好適な実施形態1による光ファイバプローブの概略図である。
【図２】本発明の好適な実施形態1による光ファイバプローブの軸方向の断面図である。
【図３】本発明の好適な実施形態1による光ファイバプローブの半径方向の断面図である。
【図４】本発明の好適な実施形態1による埋込光ファイバ放射線量検出器の概略図である。
【図５】本発明の好適な実施形態4による光ファイバプローブの概略図である。
【図６】本発明の好適な実施形態6による埋込光ファイバ放射線量検出器の概略図である。
【図７】本発明により放射領域における実際の放射吸収線量を検出するための流れ図である。
【発明を実施するための形態】
【００２３】
図面を参照して、本発明が、更に例証される。
【００２４】
好適実施形態1
図1から図4を参照すると、本発明の好適実施形態1による光ファイバプローブの概略図、軸方向の断面図、及び半径方向の断面図が図解され、本発明の好適実施形態1による埋込光ファイバ放射線量検出器の概略図が図解されている。
【００２５】
図1から図4を参照すると、放射領域における放射吸収線量をモニタする埋込光ファイバ放射線量検出器が図解されており、この埋込光ファイバ放射線量検出器は、第一の端部が第一の光強度検出器21に接続され第二の端部が検出用端部である第一の光ファイバプローブ11を備えており、第一の蛍光物質が第一の光ファイバプローブ11の検出用端部の端子に埋め込まれている。
【００２６】
埋込光ファイバ放射線量検出器の使用は、次の通り、すなわち、図4を参照して、第一の光ファイバプローブ11が患者の腫瘍細胞の上方の位置に深く挿入されると、第一の蛍光物質がX線によって放射され、よって蛍光を放出し、蛍光が第一の光ファイバプローブ11によって送信され、次に、第一の光強度検出器21によって受信され、コンピュータ5を用いた処理により、第一の蛍光物質の蛍光強度の累積が得られるのであるが、ここでの放射は、アルファ線、ガンマ線、x線及び電子放射線で構成される。
【００２７】
本発明の光ファイバプローブは、埋込構造を有しているのであるが、内部が空洞であるコアを有する光ファイバプローブが微小処理技術を用いて作成され、蛍光物質がその中に埋め込まれることにより、放射によって生成される蛍光信号の光ファイバのコアの中への結合効率が著しく改善され、光ファイバセンサが人体に入ることができるように、光ファイバセンサのサイズが著しく縮小される。放射線治療の副作用を最小化し、腫瘍位置校正機能を提供しながら、効率を改善するために、生体内での放射線量のリアルタイムでのモニタリングが、達成される。
【００２８】
好適実施形態2
上述した埋込光ファイバ放射線量検出器によると、好適実施形態2の差は、第一の光ファイバプローブ11がポリマ光ファイバであり、ポリマ光ファイバのコアの検出用端部の端子が微小孔4を有していて、第一の蛍光物質が微小孔4の中に埋め込まれていることであって、微小孔4の一方の端部は、密封物質3によって密封される。
【００２９】
金属マーカが、ポリマ光ファイバの検出用端部の端子上に周方向に配置される。ポリマ光ファイバは、プラスチック光ファイバ又はPMMA光ファイバである。
【００３０】
好適実施形態3
上述した埋込光ファイバ放射線量検出器によると、好適実施形態3の差は、第一の光ファイバプローブ11がポリマ光ファイバであり、ポリマ光ファイバのコアの検出用端部の端子が微小溝4を有していて、第一の蛍光物質が微小溝4の中に埋め込まれていることであって、微小溝4の一方の端部は、密封物質3によって密封される。
【００３１】
好適実施形態4
上述した埋込光ファイバ放射線量検出器によると、好適実施形態4の差は、図5を参照すると、本発明の好適実施形態4による光ファイバプローブの概略図が図解されているのであるが、第一の光ファイバプローブ11がポリマ光ファイバであり、毛細光ファイバ4がポリマ光ファイバのコアの検出用端部の端子の上に溶接されており、第一の蛍光物質が毛細光ファイバ4の中に埋め込まれていることであって、毛細光ファイバ4の一方の端部は、密封物質3によって密封される。
【００３２】
好適実施形態5
上述した埋込光ファイバ放射線量検出器によると、好適実施形態5の差は、第一の蛍光物質が無機蛍光物質又は有機蛍光物質であることであって、ここで無機蛍光物質は、ZnS、SrAl2O4、CaAl2O4、CsI:Tl、及びGd2O2S:Euを含み、有機蛍光物質は、ローダミン(Rhodamine)及びその誘導体、クマリン(coumarin)誘導体、ピラゾリン(pyrazoline)誘導体、及びトリフェニルアミン(triphenyl amine)誘導体を含む。
【００３３】
好適実施形態6
上述した埋込光ファイバ放射線量検出器によると、好適実施形態6の差は、図6を参照すると、本発明の好適実施形態6による埋込光ファイバ放射線量検出器の概略図が図解されているのであるが、埋込光ファイバ放射線量検出器が第二の光ファイバプローブ12を更に備えており、第二の光ファイバプローブ12の第一の端部が第二の光強度検出器22に接続され、第二の蛍光物質が第二の光ファイバプローブの検出用端部の端子に埋め込まれていることである。
【００３４】
埋込光ファイバ放射線量検出器の使用は、次の通り、すなわち、図6を参照して、第一の光ファイバプローブ11と第二の光ファイバプローブ12とが患者の腫瘍細胞の上方の位置に深く挿入されると、第一の蛍光物質と第二の蛍光物質とが放射され、よって蛍光を放出し、蛍光が第一の光ファイバプローブ11と第二の光ファイバプローブ12とによって送信され、次に、第一の光強度検出器21と第二の光強度検出器22とによって受信され、コンピュータ5を用いた処理により、第一の蛍光物質と第二の健康物質との蛍光強度の累積が得られるのであるが、ここでの放射は、アルファ線、ガンマ線、x線及び電子放射線で構成される。
【００３５】
好適実施形態7
上述した埋込光ファイバ放射線量検出器によると、好適実施形態7の差は、同一の信号が第一の光ファイバプローブ11と第二の光ファイバプローブ12とをそれぞれ通過すると、第一の光ファイバプローブ11と第二の光ファイバプローブ12とにおいて生成される光強度及びノイズなどのパラメータが同一であるような態様で、第一の光ファイバプローブ11と第二の光ファイバプローブ12とのタイプが同一であり、第一の光ファイバプローブ11と第二の光ファイバプローブ12とのコアの内径が同一であるということである。結果として、テストの間には、結果は上述したパラメータによって影響されない。
【００３６】
第一の光強度検出器21と第二の光強度検出器22とのモデルは同一である。その結果として、検出のときに、第一の光強度検出器21と第二の光強度検出器22との結果は、同一のパフォーマンスパラメータのために、直接に比較されることが可能であり、これにより、実験効率が向上するだけでなく、実験精度も改善される。
【００３７】
好適実施形態8
上述した埋込光ファイバ放射線量検出器によると、好適実施形態8の差は、第一の光ファイバプローブ11と第二の光ファイバプローブ12とが放射領域において実際の放射吸収線量を検出するための方法は以下の通りであり、図7を参照すると、本発明により放射領域において実際の放射吸収線量を検出するための流れ図が図解されている。
【００３８】
(１)標準曲線を描く:
深部蛍光強度累積標準曲線と深部校正因子標準曲線とを描く。
水等量特性を備えた水タンクが、人の筋肉組織をシミュレートするために用いられ、第一の光ファイバプローブ11と第2の光ファイバプローブ12と医療用標準イオン化チャンバとが、水タンクと同様の深度に配置され、第一の蛍光物質と第二の蛍光物質との異なる深度応答に起因して、放射の間、光子カウンタが、第一の蛍光物質と第二の蛍光物質の蛍光強度累積を表示し、医療用標準イオン化チャンバも、その瞬間における実際の放射吸収線量を表示し、第一の光ファイバプローブ11と、第二の光ファイバプローブ12と、医療用標準イオン化チャンバとを変えることにより、第一の蛍光物質と第二の蛍光物質との深度が対応した蛍光強度累積と、深度が対応していない実際の放射吸収線量とが、取得され、ソフトウェア適合の後で、放射線治療の間の第一の蛍光物質に対応する深度蛍光強度累積曲線と第二の蛍光物質に対応する深度蛍光強度累積曲線とが、取得され、蛍光強度累積と実際の放射吸収線量との間の線形関係のために、各深度における第一の蛍光物質の蛍光強度累積と実際の放射吸収線量との比が、第一の蛍光物質の深度校正因子曲線を適合させるための校正因子として用いられ、各深度における第二の蛍光物質の蛍光強度累積と実際の放射吸収線量との比が、第二の蛍光物質の深度校正因子曲線を適合させるための校正因子として用いられる。
【００３９】
(2)高適合度を有する深度校正因子曲線を維持する:
高適合度を有する深度校正因子曲線を維持するために、第一の蛍光物質の深度校正因子曲線の適合度と、第二の蛍光物質の深度校正因子曲線の適合度とが比較される。
【００４０】
(3)テストを行い、正しい放射深度を取得するために間違った解を排除する:
埋込光ファイバ放射線量検出器を用いて患者の腫瘍領域における組織をテストする間に、第一の蛍光物質と第二の蛍光物質との蛍光強度累積が取得される。深度蛍光強度累積適合曲線は、一元多重方程式(one element multiple equation)であるから、第一の蛍光物質と第二の蛍光物質との蛍光強度累積を対応する深度蛍光強度累積曲線に導入すると、第一の蛍光物質と第二の蛍光物質との両方が複数の深度値を取得することになり、第一の蛍光物質に対応する深度値の中には、実際の深度値と類似する深度値Aが存在するはずであり、第二の蛍光物質に対応する深度値の中には、実際の深度値と類似する深度値Bが存在するはずであり、深度値Aと深度値Bとの間の差の値の絶対値は、二つの深度値の間のどの他の差の値よりも小さく、実際の放射深度は、深度Aと深度Bとの平均値に等しい。
【００４１】
(4)実際の放射吸収線量を取得する:
実際の放射深度が、校正因子を計算するためのより高い適合度と共に、深度校正因子曲線に導入され、実際の放射吸収線量が更に取得される。
【００４２】
好適実施形態9
上述した埋込光ファイバ放射線量検出器によると、好適実施形態9の差は、正しい放射深度を取得するための間違った解の排除が、下記の通りになされるということである。
好適な実施形態9によると、第一の蛍光物質はCsI:Tlであり、第二の蛍光物質はGd2O2S:Euであって、CsI:TlとGd2O2S:Euとの対応する深度蛍光強度累積と計算された深度値は、下記の通りである。
【００４３】
第一の蛍光物質CsI:Tlに対しては、
xが0.5cmから2.5cmであるときには、
CsI:Tlの適合曲線は、y=8612136+1396560x-326671x2であり、
xが2.5cmから10.0cmであるときには、
CsI:Tlの適合曲線は、y=10303441-64415x-17822x2+135x3であり、
蛍光強度累積によるCsI:Tlの計算された結果は、下記の表1の通りである。
【００４４】
【表１】
2016200595.tif 000003
【００４５】
第二の蛍光物質Gd2O2S:Euに対しては、
xが0.5cmから10.0cmであるときには、
Gd2O2S:Euの適合曲線は、y=9653313+532590x-101010x2+3840x3であり、
蛍光強度累積によるGd2O2S:Euの計算された結果は、下記の表2の通りである。
【００４６】
【表２】
2016200595.tif 000004
【００４７】
上の表を参照すると、間違った解を排除した後の正しい放射深度zは次の表3の通りであると結論付けられる。
【００４８】
【表３】
2016200595.tif 000005
【００４９】
したがって、訂正された放射深度は、実際の深度に極めて類似する。更に、二つの異なる蛍光物質を用いる排他的な方法によると、実際の深度と放射領域における実際の放射吸収線量とが取得され、これが、放射線治療の間の患者の健康と安全とを保証しながら、リアルタイムでの検出を行う。
【００５０】
当業者であれば、図面において示され以上で説明された本発明の実施形態は例示的なものに過ぎず、限定を意図したものではないことを理解するであろう。
【００５１】
このようにして、本発明の目的が完全かつ有効に達成されたということが、理解されるであろう。その実施形態は、本発明の機能的及び構造的原理を例証する目的で示され説明されたのであるが、それらの原理から逸脱することなく、変更され得る。したがって、本発明は、次の特許請求の範囲の精神及び範囲の及ぶすべての修正を含む。
【符号の説明】
【００５２】
3  密封物質
4  微小孔、微小溝、毛細光ファイバ
5  コンピュータ
11  第一の光ファイバプローブ
12  第二の光ファイバプローブ
21  第一の光強度検出器
22  第二の光強度検出器
【図１】
2016200595.tif 000006
【図２】
2016200595.tif 000007
【図３】
2016200595.tif 000008
【図４】
2016200595.tif 000009
【図５】
2016200595.tif 000010
【図６】
2016200595.tif 000011
【図７】
2016200595.tif 000012
【外国語明細書】
2016200595000001.pdf